(57)【要約】      （修正有）【課題】濾過装置と内洗浄装置と外洗浄装置とを備える、濾材内逆洗濾過装置を提供する。【解決手段】浮遊濾材を収容し、廃水を導いて浮遊濾材に通過させる濾過装置１と、濾過装置の内部に結合され、洗剤を導いて浮遊濾材まで入り込む内洗浄装置１００とを備え、内洗浄装置が運転している間、浮遊濾材を濾過装置の内部で混合洗浄する濾材内逆洗濾過装置である。【選択図】図１
0003182804.tif 000002
【実用新案登録請求の範囲】
【請求項１】
浮遊濾材を収容し、廃水を導いて前記浮遊濾材に通過させる濾過装置と、前記濾過装置の内部に結合され、洗剤を導いて前記浮遊濾材まで入り込む内洗浄装置とを備える濾材内逆洗濾過装置であって、前記内洗浄装置が運転している間、前記浮遊濾材を前記濾過装置の内部で混合洗浄する濾材内逆洗濾過装置。
【請求項２】
前記内洗浄装置が補助洗浄装置を備えることを特徴とする請求項１記載の濾材内逆洗濾過装置。
【請求項３】
前記内洗浄装置が水平に設置される混合用羽根を備えることを特徴とする請求項１記載の濾材内逆洗濾過装置。
【請求項４】
前記混合用羽根がヒーターに接続されることを特徴とする請求項３記載の濾材内逆洗濾過装置。
【請求項５】
前記濾過装置に結合され、前記濾過装置の下流から前記浮遊濾材を外洗浄装置に送入して前記浮遊濾材を洗浄する外洗浄装置を備える濾材内逆洗濾過装置であって、洗浄された浮遊濾材を前記外洗浄装置から濾過装置へ輸送して廃水濾過の循環を行うことを特徴とする請求項１記載の濾材内逆洗濾過装置。
【請求項６】
前記濾過装置が下吐出口を有し、洗浄が必要な浮遊濾材を前記下吐出口から順方向に濾過装置に送入し、または洗浄された浮遊濾材を外洗浄装置から下吐出口へ逆方向に前記濾過槽ユニット内へ輸送することを特徴とする請求項１記載の濾材内逆洗濾過装置。
【考案の詳細な説明】
【技術分野】
【０００１】
本考案は、濾材内逆洗濾過装置に関し、特に上向流式（upward-flow type）の浮遊濾材（float filter material）内逆洗連続濾過（continuously filtering）装置に関する。
【背景技術】
【０００２】
特許文献１には、浮遊物又は乳状液の濾過装置の改良が開示されている。濾過装置に浮遊物又は乳状液を入れるダクトが設けられ、ダクトの下に分流管が設けられ、分流管の下に錐形導流皿が設けられ、錐形導流皿の上に濾床が設けられる。濾過装置の片側に濾過水出口が設けられ、濾過装置の底部中央に洗浄ダクトが上向きに設けられる。洗浄ダクトの外側に保護管が設けられ、洗浄ダクトに洗浄装置が設けられる。濾過装置の水入口部に流量調整タンクが設けられ、水流の速度を調整する。調整タンクの内部に流入室が設けられ、流入室の近傍に水位室が設けられ、水位室の内側に流量調整弁と水位計が設けられ、損失水頭を避けて濾床詰りを防止する。また、撹拌又は損失水頭があまりに小さい際は、洗浄動作を停止させる。この発明においては、濾床における一定品質の維持と、洗浄効率の改善及び浄水損失の減少が達成できる。
【０００３】
特許文献２には、濾過用砂粒を収容する本体と、本体内部の底側に位置する空気揚水ポンプと、本体の天側に位置する汚泥廃水進水管を有する汚水処理の連続式自動逆洗砂濾過機が開示されている。汚泥廃水は汚泥廃水進水管から本体内へ送入されて濾過され、空気揚水ポンプで砂粒を循環することにより、砂粒を連続循環して汚泥廃水を濾過する。
【０００４】
特許文献3には、濾材逆洗の濾過装置を濾材洗浄装置のみに適用することが開示されている。具体的には、特許文献１の濾過装置及び特許文献２の逆洗砂濾過機は、濾過槽内において逆洗循環を直接行う。しかし、この洗浄装置は一旦洗浄効率が悪化すると濾過品質を確保できないため、濾過品質に対して悪影響がある。したがって、従来の逆洗連続濾過装置は逆洗方式に一層の改良を施す必要性が存在する。
【先行技術文献】
【特許文献】
【０００５】
【特許文献１】台湾特許第２７４７３９号
【特許文献２】台湾特許第３３４８４６号
【特許文献３】台湾特許第M４３３２３６号
【考案の概要】
【考案が解決しようとする課題】
【０００６】
本考案は、濾過装置を内洗浄装置に結合させ、浮遊濾材を内洗浄装置において混合洗浄すると共に、濾過装置を外洗浄装置にも結合させることで、濾過装置の下流から浮遊濾材を外洗浄装置に送入して洗浄を行い、さらに洗浄した浮遊濾材を濾過装置に送入して、逆洗連続濾過を達成することを課題としている。
【課題を解決するための手段】
【０００７】
上記の目的を達成するため、本考案の濾材内逆洗濾過装置は、浮遊濾材を収容し、廃水を導いて前記浮遊濾材に通過させる濾過装置と、前記濾過装置の内部に結合され、洗剤を導いて前記浮遊濾材まで入り込む内洗浄装置とを備える濾材内逆洗濾過装置であって、前記内洗浄装置が運転している間、前記浮遊濾材を前記濾過装置の内部で混合洗浄する濾材内逆洗濾過装置である。
【０００８】
前記内洗浄装置が補助洗浄装置を備えることを特徴とする濾材内逆洗濾過装置である。
【０００９】
前記内洗浄装置は水平に設置される混合用羽根を備えることを特徴とする濾材内逆洗濾過装置である。
【００１０】
前記混合用羽根がヒーターに接続されることを特徴とする濾材内逆洗濾過装置である。
【００１１】
前記濾過装置に結合され、前記濾過装置の下流から前記浮遊濾材を外洗浄装置に送入して前記浮遊濾材を洗浄する外洗浄装置を備える濾材内逆洗濾過装置であって、洗浄された浮遊濾材を前記外洗浄装置から濾過装置へ輸送して廃水濾過の循環を行うことを特徴とする濾材内逆洗濾過装置である。
【００１２】
前記濾過装置が下吐出口を有し、洗浄が必要な浮遊濾材を前記下吐出口から順方向的に濾過装置に送入し、または洗浄された浮遊濾材を、外洗浄装置から下吐出口へ逆方向に前記濾過槽ユニット内へ輸送することを特徴とする濾材内逆洗濾過装置である。
【００１３】
濾材内逆洗濾過装置において、１個または複数個濾過槽ユニットを有することを特徴とする濾材内逆洗濾過装置である。
【００１４】
濾材内逆洗の濾過装置において、前記浮遊濾材は、シート状複合濾材から選択されることを特徴とする濾材内逆洗濾過装置である。
【００１５】
濾材内逆洗の濾過装置において、前記シート状複合濾材が、異なる融点の繊維材料からなることを特徴とする濾材内逆洗濾過装置である。
【図面の簡単な説明】
【００１６】
【図１】第１実施例による濾材逆洗濾過装置の側面図である。
【図２】第１実施例による濾材内逆洗濾過装置に用いる濾材シートの側面図である。
【図３】第２実施例による濾材内逆洗濾過装置の側面図である。
【考案を実施するための最良の形態】
【００１７】
本考案における濾材内逆洗濾過装置は、特に、廃水浮遊物または浮遊固体の濾過に用いるものであり、様々な廃水濾過システムに適用することができる。
【００１８】
図１に示した、第１実施例による濾材内逆洗濾過装置は、主に濾過装置（上向流式濾過装置）１及び外洗浄装置２を有し、適切なパイプラインで互いを接続して配置する。また、外洗浄外装置２は省略することもできる。
【００１９】
濾過装置１は、一般的な濾過装置から選択することが可能であり、浮遊濾材を収容する内部空間を有する１個または複数個の濾過槽ユニット１０を有し、浮遊濾材を所定の位置に制限する。廃水は、浮遊濾材を通過するように案内されて濾過される。この時、濾過により浮遊濾材内に生じた浮遊固体と汚泥は分離され、浮遊固体は浮遊濾材内に残る。
【００２０】
濾過槽ユニット１０は、廃水入口１１と濾過水出口１２を有し、廃水入口１１は濾過水出口１２に対応する。廃水入口１１は、浮遊濾材に廃水を通過させるため、濾過槽ユニット１０内に廃水を送入する。濾過水出口１２は、濾過した廃水を濾過槽ユニット１０から外部に排出する。
【００２１】
内洗浄装置１００は、濾過槽ユニット１０の内部に設置される。導入口から内洗剤（水または洗剤）を送入する。また、内洗浄装置１００は、複数の羽根または少なくとも一つのミキサーを有している。内洗浄装置１００は、濾過装置１の内部において、浮遊濾材を洗剤または水で直接洗浄する。内洗浄装置１００の運転中は、濾過装置１の上方から下方において浮遊濾材を混合洗浄する。これにより、浮遊濾材は、濾過槽ユニット１０の内部で上方から下方まで十分に混合洗浄される。また、浮遊濾材の一部あるいは全部について、外洗浄装置２に輸送して洗浄することで、濾過作業の中断を避けることができる。
【００２２】
外洗浄装置２を濾過装置１に組合せて、給水ユニットを接続することができる。また、濾過水出口１２を外洗浄装置２に接続して、濾過水を供給することができる（破線）。濾過装置１は、濾過機能を有するほか、外洗浄装置２を利用して輸送と循環を適切に行い、濾過槽ユニット１０に貯留された浮遊濾材を逆洗し、洗浄した浮遊濾材を濾過槽ユニット１０へ回送することもできる。
【００２３】
濾過槽ユニット１０は、濾材入口１３と下吐出口１４を有する。濾材入口１３は、下吐出口１４に対応する。濾材入口１３は、洗浄した浮遊濾材（水または洗剤）を外洗浄装置２から濾過槽ユニット１０内に送入する。下吐出口１４は、傾斜面１４１を有し、洗浄に必要な浮遊濾材を濾過槽ユニット１０から下に流動させ、順方向的に外洗浄装置２に送入する。また、洗浄した浮遊濾材は、外洗浄装置２から濾過槽ユニット１０内へ下吐出口１４を介して逆方向的に送入することもできる。排水口（図示せず）は、濾過槽ユニット１０の内部に連通する。
【００２４】
外洗浄装置２は、洗浄槽２０と洗浄機２１とを有し、洗浄機２１が洗浄槽２０内において浮遊濾材を洗浄する。洗浄槽２０は濾材入口２０１と、濾材出口２０２と、洗浄水入口２０３と、汚泥排出口２０４と、濾過網２０５を有する。
【００２５】
濾材入口２０１は、洗浄に必要な浮遊濾材を濾過槽ユニット１０から洗浄槽２０送入する。濾材出口２０２は、洗浄した浮遊濾材を洗浄槽２０から順方向（右矢印）または逆方向〔左矢印〕で濾過槽ユニット１０内に送入する。これにより廃水の循環濾過が行われる。また、洗浄水入口２０３は、洗浄水を洗浄槽２０内に送入する。汚泥排出口２０４は、洗浄水及び汚泥を洗浄槽２０から濾過網２０５を経由して外部に排出する。
【００２６】
濾過槽ユニット１０は、浮遊濾材を輸送して洗浄を行う際に、廃水の濾過を停止する。洗浄した浮遊濾材は、濾過槽ユニット１０内へ輸送された際に、再び濾過槽ユニット１０が廃水の濾過を行うことが可能である。他の浮遊濾材の洗浄を行う際は、濾過槽ユニット１０は廃水濾過を行うこともできる。したがって、外洗浄装置２が浮遊濾材の洗浄を行う際に、濾過装置１内の廃水濾過を行うことができ、濾過装置１の廃水濾過を停止する必要はない。
【００２７】
外洗浄装置２と浮遊濾材貯留槽（図示せず）は連続し、浮遊濾材貯留槽がさらに濾過装置１と連続する。洗浄した浮遊濾材を外洗浄装置２から浮遊濾材貯留槽に輸送することにより、洗浄した浮遊濾材を一旦貯留する。最後に、洗浄した浮遊濾材を浮遊濾材貯留槽から濾過装置１内へ輸送する。
【００２８】
濾材内逆洗濾過装置は、複数濾過槽ユニット１０、内洗浄装置１００及び外洗浄装置２の動作を制御するためのプログラミング可能なシーケンス制御装置（Programmable logic controller，PLC）（図示せず）を有している。
【００２９】
図２に示すように、浮遊濾材は異なる融点の繊維材料（網状）から成る複合濾材シートから選択する。融点が低い材料（交差状）と融点が高い材料（糸状）とを接着することにより材料の隙間を維持し、糸抜きの発生を避けることができる。複合濾材シートの間隙は、濾過の際に透水性を有し（矢印）、洗浄の際に汚染物による隙間の詰りを防止できる。
【００３０】
図３に示すように、第２の実施例の濾過装置１は３層の濾過槽ユニット１０を有している。洗浄装置１００は、過槽ユニット１０の隅（たとえば上方隅）まで入り込む補助洗浄装置を有し、過槽ユニット１０の隅にある浮遊濾材まで洗浄することができる。また、内洗浄装置１００は、水平に設置される混合用羽根１０１と、ヒーター１０３を有する。ヒーター１０３は、混合用羽根１０１に接続し、混合用羽根１０１によって加熱する。混合用羽根１０１は、混合洗浄の効果を上げるために、上方から下方まで浮遊濾材を混合洗浄する。
【００３１】
第１の実施例による濾過槽ユニット１０の下吐出口１４及び排水口１５を合わせて、排水口１５’とし、かつ排水口１５’は、洗浄槽２０の濾材入口２０１に接続することもできる。
【００３２】
なお、本考案について好ましい実施形態を記載したが、当業者は、本考案の範囲ならびに趣旨から逸脱することなく、種々変形及び変更することが可能である。
【符号の説明】
【００３３】
１      濾過装置
１０    濾過槽ユニット
１００  内洗浄装置
１０１  混合羽根
１０２  補助洗浄装置
１０３  ヒーター
１１    廃水入口
１２    濾過水出口
１３    濾材入口
１４    下吐出口
１４１  傾斜面
２      外洗浄装置
２０    洗浄槽
２０１  濾材入口
２０２  濾材出口
２０３  洗浄水入口
２０４  汚泥排出口
２０５  濾過網
２１    洗浄機
【図１】
0003182804.tif 000003
【図２】
0003182804.tif 000004
【図３】
0003182804.tif 000005